(57)【要約】　　　（修正有）【課題】相対回転する軸受部の回転数を検出するエンコーダ付組合せシールに関し、シールリップの摺動とエンコーダの接着強度を確保せしめることを目的とする。【解決手段】エンコーダ４を持つスリンガー３と、シールリップ２１を設けたシール部材２からなり、前記スリンガー３のシールリップ２１の摺動面と磁性ゴム接着面の粗さを同程度の表面粗さとする。これによりエンコーダ４の接着強度を確保して、シールリップ２１の摺動の円滑範囲内に磁性環は拡大され、その密着部は水分を寄せ付けず錆の発生から守られる。【選択図】　図１
2004019827.tif 000002
【特許請求の範囲】
【請求項１】
円筒部とフランジ部を有し、弾性体と強磁性材料を混合して形成した磁性環を該フランジ部の外方へ加硫接着して配備したスリンガーと、
前記スリンガーに相対配置され該スリンガーの円筒部外周面とフランジ部内側面に摺接するシールリップを持つシールリングとを組み合わせたエンコーダ付組合せシールにおいて、
前記シールリップの先端を摺接させる円筒部外周面及びフランジ部の内側面と、前記スリンガーのエンコーダを固定するフランジ部の外側面の表面粗さを、Ｒａ０．３〜０．９の同程度の粗さに形成し、
前記フランジ部へ結合固定されたエンコーダに円周方向に亙ってＳ極とＮ極とを交互に配置せしめたことを特徴としたエンコーダ付組合せシール。
【発明の詳細な説明】
【０００１】
【発明の属する技術分野】
本発明は、相対回転する軸受部にあって回転部材と静止部材にそれぞれ取付けられてシール作用を働かせる組合せシールであって、エンコーダが回転部材のシール部材に取付けられて回転数の検出をなすエンコーダ付組合わせシールに関する。
【０００２】
【従来の技術】
従来、自動車のホィールロックとかスキッドを防止するためのアンチロック・アンチスキッド用あるいはトラクションコントロール用の車輪回転数検出装置としては次のような構造が多く用いられている。
すなわち、前記の如くの車輪回転数検出装置はパルスを発生するエンコーダとこのパルスを感知する感知センサーからなっており、その一般的な構造を挙げれば次のように、ホィールの軸受を密封するシール装置に併設してエンコーダと感知センサーを配置し、シール手段と回転数検出手段とを一体化した回転数検出装置付シールを構成しているものが開発され実用化に至っている。
昨今ではシール装置をより密封力の高い複数の部材を組み合せた組合せシールが採用されるようになっており、パルスを発生するエンコーダもより大型・大出力のものが求められるようになっている。
以下、図面を参照しつつ詳述する。
【０００３】
このような従来の組合せシールの一例を図面によつて説明すると、図２に示すように、外輪（１ａ）に嵌合されたシール部材（２）と内輪（１ｂ）に嵌合されたスリンガー（３）でなり、このスリンガー（３）の外側面へエンコーダ（４）が取り付けられており、このエンコーダ（４）の発するパルスを回転数検出センサー（５）で感知検出する構造を示すことができる。
ここで軸受（１ａ、１ｂ）はスリンガー（３）へシールリップ（２１）が摺接するシール部材（２）によって水分あるいは異物の侵入から守られている。
【０００４】
このような回転数の検出装置の付いた組合せシールの造形においては、前記パルスを発生するエンコーダ（４）をフェライト等が混合されたゴム材料から形成し、これをスリンガー（３）に加硫接着するためにその表面粗さを梨地状に大きく粗して接着性を確保しており、一方その内方のシールリップ（２１）の摺動面では密封性を確保するために表面粗さの小さな平滑面が求められ、一般的には梨地面ではＲａ１．０〜２．５程度、摺動面ではＲａ０．１〜０．８程度が必要とされている。
【０００５】
【発明が解決しようとする課題】
しかしながら、前述のようなスリンガー（３）の外側面と内側面とを表面粗さの粗い梨地面と表面粗さの小さい平滑面に仕上げ分けするためには少なくとも粗・密の二工程の研磨作業を必要とし、当然ながらその複数の作業工程を通すことは面倒であってコスト上昇を招き、さらに悪いことに表面粗さの粗い梨地面を形成するときその研磨応力に負けてスリンガー（３）が変形したり歪む恐れが有りシール性能を損なう大きな欠点を現わしかねない。
本発明はこのような事情に鑑みて発明されたものであって、エンコーダ（４）の完璧な固着と高い密封性能とを同時に得さしめたエンコーダ付組合せシールを提供することを目的としている。
【０００６】
【課題を解決するための手段】
本発明を図面に基づいて説明すると、図２に示すように、自動車用ホィールあるいはそれ以外の軸受部（１ａ、１ｂ）の弾性体製のシールリップ（２１）を有するシール部材（２）とエンコーダ（４）を形成した剛性材のスリンガー（３）からなったエンコーダ付組合せシールであって、前記エンコーダ（４）はゴム材へハードフェライト等の強磁性材料を混合してスリンガー（３）の外部側面へ加硫形成され、その内部側周面（円筒部外周面３１ａ）及びフランジ部の内周面（３２ａ）はシール部材（２）のシールリップ（２１）が摺動しており、図１に示すように前記シールリップ（２１）の摺接する円筒部外周面（３１ａ）及びフランジ部の内側面（３２ａ）と、前記スリンガー（３）のエンコーダ（４）を接着固定するフランジ部の外側面（３ｂ）の表面粗さを、Ｒａ０．３〜０．９の同程度の粗さに形成せしめ、前記フランジ部の外側面（３ｂ）へ結合固定されたエンコーダ（４）に円周方向に亙ってＳ極とＮ極とを交互に配置せしめる。
この状態で前記エンコーダ（４）の外方から回転数検出センサー（５）（図１では図示していない）を近接配備せしめることを特徴としている。
【０００７】
【発明の実施の形態】
前述したように本発明では、シールリップ（２１）の摺動部を含む磁性ゴム否接着面のスリンガー（３）表面粗さと、磁性ゴム接着面の粗さを、Ｒａ０．３〜０．９程度の粗さとすることで、シールリップ（２１）摺動面粗さをシールリップ摺動に適した表面粗さ範囲としながら、かつ、磁性ゴムの接着強度を十分なものとするような磁気エンコーダを成立させるものである。
【０００８】
【実施例】
前述したように本発明のエンコーダ付組合せシールは、エンコーダ（４）を設けたスリンガー（３）とシールリップ（２１）を持つシール部材（２）の二部材の組み合わせからなっており、このスリンガー（３）は回転する部材（ここでは内輪１ｂを指す）へ装着され、一方のシール部材（２）は静止部材（ここでは外輪１ａを指す）へ取付けられ、シール部材（２）のシールリップ（２１）がスリンガー（３）に摺接してシール作用を働かせている。
このスリンガー（３）へエンコーダ（４）をその外部側面に加硫形成するとき、これを接着固定するフランジ部の外側面（３ｂ）の表面粗さを、Ｒａ０．３〜０．９に形成し、シールリップ（２１）の摺接するその裏面（３２ａ）及び円筒部外周面（３１ａ）の表面粗さも前者と同程度のＲａ０．３〜０．９に形成せしめる。
この表面粗さの造形により、エンコーダ（４）の接着強度を確保して、シールリップ（２１）の摺動の円滑範囲内に置き摺動するに必要な潤滑油の保持をなさしめる。
【０００９】
この表面粗さを形成するとき、シールリップ（２１）の摺動面はリップ摩耗を抑えるためにある程度の潤滑油を保持できる表面粗さが必要であって、Ｒａ０．３程度からその保持性能が問題ないものとなり、一方エンコーダ（４）の接着面では強い接着力を得ることのできる表面粗さとしてＲａ０．３以上が必要となる。ここでその両者を満足させる表面粗さは、Ｒａ０．６〜０．９程度が標準的なものである。これによってエンコーダ（４）はスリンガー（３）に対する結合強度が十分なものとなり、長期間に亙る使用によっても剥離することのない耐久性を得、その回転数検出の信頼性を維持することができるものとなる。
【００１０】
実際の表面粗さの形成手段においては、研削材を高圧噴射するブラスト処理、高圧水を噴射するウエットブラスト処理などが用いられ、ここでの研削材としては、鋳鉄またはスチールのグリッド、ガラスビーズ、アルミナなどが広く用いられている。また、酸性剤によるエッチング処理とか、リン酸塩を用いた化成処理などの方法も採用可能である。
【００１１】
ここでの強磁性材料を混合した弾性体からなるエンコーダ（４）は、焼入硬化型材料あるいは析出硬化型あるいは焼結型等の粉体または粒体状材料を合成ゴムあるいは合成樹脂等に混入せしめた弾性材料を、表面粗さ処理されたスリンガー（７）とともに型内に投入し、加圧加熱して加硫接着成形せしめる。
【００１２】
なお、図１で示したエンコーダ付組合せシールは、回転する内輪（１ｂ）へエンコーダ（４）の配されたスリンガー（３）を取り付け固定せしめる構造を採用したが、外輪（１ａ）が回転する場合ではこの逆に装着すれば問題なく、その回転数検出性能はいささかも変わるものでない。
【００１３】
【発明の効果】
本発明によると、シールリップ（２１）の摺動部のスリンガー（３）表面粗さと、磁性ゴム接着面の粗さを、ここに設定した範囲の表面粗さとすることで、シールリップ摺動に適した表面粗さ範囲としながら、磁性ゴムの接着強度を十分なものとするから、エンコーダ（４）の接着強度を確保して、シールリップ（２１）の摺動の円滑範囲内に置き摺動するに必要な潤滑油の保持をなさしめる。
【図面の簡単な説明】
【図１】本発明の装着状態を示す一実施例の断面図である。
【図２】エンコーダ付組合せシールの装着状態を示す断面図である。
【符号の説明】
１ａ　　外輪
１ｂ　　内輪
２　　　シール部材
２１　　シールリップ
３　　　スリンガー
３１ａ　円筒部外周面
３１ｂ　フランジ部の内側面
４　　　エンコーダ
５　　回転数検出センサー
【図１】
2004019827.tif 000003
【図２】
2004019827.tif 000004